(57)【要約】【課題】電熱を熱源とする浴室換気乾燥装置は、暖房もしくは乾燥運転中にフィルターが目詰まりするとヒータ近傍の温度が上昇し、装置の構成部の変形や劣化が発生するおそれがある。【解決手段】制御装置１６はヒータＡ６、ヒータＢ７の近傍温度を検知するヒータ温度センサー１８の温度勾配の推移を監視し、この温度勾配が規定値を超えたときフィルターの目詰まりを検知して、バス換気乾燥装置の運転を停止し、フィルター目詰まり表示部２５にフィルターの目詰まりの旨を表示する。前記規定値は運転モード設定部２５の設定モードに対応して設定される。【選択図】図６
2007101118.tif 000002
【特許請求の範囲】
【請求項１】
浴室内の空気を換気する換気ファンと、浴室内の空気を循環する循環ファンと、前記循環ファンにより生成される循環空気の塵埃を除去するフィルターと、循環空気を加熱する加熱手段および前記換気ファンと前記循環ファンと前記加熱手段を組み合わせて作動させて浴室内を暖房もしくは乾燥する制御装置とを備えたバス換気乾燥装置において、浴室内の温度を検知する温度センサーと前記加熱手段の近傍の温度を検知する温度センサーとを設け、前記制御装置は前記浴室内の温度を検知するセンサーと加熱手段の近傍の温度を検知するセンサーとの温度差の推移を監視し、前記温度差が規定値を超えたときにフィルターが目詰まりであることを検知することを特徴とするバス換気乾燥装置。
【請求項２】
フィルターが目詰まりであることを検知すれば、バス換気乾燥装置の運転を停止することを特徴とする請求項１記載のバス換気乾燥装置。
【請求項３】
制御装置は運転モードを設定する設定部を備え、前記設定部の運転モードに対応して温度差の規定値を設定することを特徴とする請求項１または２記載のバス換気乾燥装置。
【請求項４】
加熱手段の近傍の温度を検知する温度センサーを設け、前記制御装置は前記温度センサーの検知温度の時間推移を温度勾配として演算し、前記演算結果が温度勾配の規定値を超えたときにフィルターが目詰まりであることを検知することを特徴とするバス換気乾燥装置。
【請求項５】
制御装置は運転モードを設定する設定部を備え、前記設定部の運転モードに対応して温度勾配の規定値を設定することを特徴とする請求項４記載のバス換気乾燥装置。
【請求項６】
バス換気乾燥装置は浴室内の温度を検知する温度センサーを備え、制御装置はこの温度センサーの検知温度に基づいて温度勾配の規定値を変化させることを特徴とする請求項４記載のバス換気乾燥装置。
【請求項７】
制御装置は加熱手段の加熱量の制御値に応じて温度勾配の規定値を変化させることを特徴とする請求項４記載のバス換気乾燥装置。
【請求項８】
フィルターが目詰まりであることを検知すれば、発光体により故障表示部に表示することを特徴とする請求項１、２、３、４、５、６または７のいずれかに記載のバス換気乾燥装置。
【請求項９】
フィルターが目詰まりであることを検知すれば、警報部に警報することを特徴とする請求項１、２、３、４、５、６、７または８のいずれかに記載のバス換気乾燥装置。
【請求項１０】
フィルター目詰まり表示部あるいは警報部により、表示もしくは警報するかしないかを選択する選択手段を設け、フィルターが目詰まりであることを検知しても、表示もしくは警報するかしないかを選択できることを特徴とする請求項８または９記載のバス換気乾燥装置。
【請求項１１】
加熱手段の近傍の温度を検知する温度センサーを設け、前記制御装置は前記温度センサーの検知温度の時間推移を監視し、前記検知温度が規定値以上に上昇したときにはフィルターが目詰まりではないことを検知することを特徴とする請求項１記載のバス換気乾燥装置。
【請求項１２】
制御装置は故障表示部もしくは警報部を備え、制御装置がフィルターが目詰まりではないことを検知したときに、前記故障表示部に故障内容を表示もしくは前記警報部により警報することを特徴とする請求項１１記載のバス換気乾燥装置。
【発明の詳細な説明】
【技術分野】
【０００１】
本発明は、浴室や、脱衣室、洗面所、あるいはトイレなどのいわゆるサニタリーゾーンを利用して洗濯物を乾燥するほか、暖房や換気などを行う電熱を利用したバス換気乾燥装置に関する。
【背景技術】
【０００２】
近年、一般家庭における浴室の設置が多くなるに伴い、冬期の入浴を快適にするために暖房機能を備えるとともに浴室を利用して洗濯物を乾燥させる乾燥機能を有した浴室換気乾燥装置が普及してきている。更には、建築基準法が改正され新築住宅にあっては常時換気の機能を有する換気装置の設置が義務付けられ、室内換気の重要性が認知されつつあり、とりわけ循環空気の塵埃を除去するフィルターが設置された浴室換気乾燥装置の普及が拡大してきている。
【０００３】
従来、この種の装置は熱源に温水を利用するものと電熱を利用するものがある。
【０００４】
温水を利用するものはガスもしくは灯油を燃料する屋外に設置した温水器を熱源機とし、温水を循環させて熱交換器で室内の空気を暖めるものであり、電熱を利用するものにあっては商用電源からの電力を利用する装置内に設置したニクロム線ヒータやハロゲンヒータなどの加熱手段を熱源とするものである。
【０００５】
前者は８０℃程度の比較的低温の温水を利用するのに対し後者は１００℃以上の比較的高温の加熱手段を利用するところから、後者にあっては装置の構造に耐熱性が要求されると共に構成部品の故障、特にフィルターの目詰まりによる換気あるいは循環性能の悪化により、装置内部すなわち前述の加熱手段とその近傍の温度が上昇するので、火災の発生を防止するために装置を構成する樹脂製の筐体やフィルター、あるいは電子部品から成る制御装置など比較的熱耐性の弱い構成部品を保護することが求められている。
【０００６】
また、フィルターの目詰まりによる換気あるいは循環性能の悪化による換気効率の低下により消費電力が増加するため、使用者に対してフィルターの掃除あるいは交換時期であることを知らしめることが求められている。
【０００７】
従来、この種の浴室暖房装置は、循環ファンあるいは換気ファンの回転数を検出する検出手段を有し、ファンの動作停止指令後から停止するまでの時間を計時する構成とし、フィルターの目詰まりがある状態においては、ファンが停止するまでの時間が長くなることを利用して、フィルターの目詰まりを検出するものが知られている（例えば、特許文献１参照）。
【０００８】
以下、その浴室暖房装置について図８を参照しながら説明する。
【０００９】
図に示すように、循環用ファン１０１、循環用ファン駆動部１０３、循環用ファン回転数検出部１０４、換気用ファン１０２、換気用ファン駆動部１０６、換気用ファン回転数検出部１０７、ヒータ駆動部１０８とを備え、乾燥運転後、循環用ファン駆動部１０３は、所定の時間に達した時点でＯＦＦされ、循環用ファン１０１の作動が停止する。この時、循環用ファン１０１は、循環用ファン駆動部１０３がＯＦＦされてからしばらくの間惰性回転したのち回転が止まる。
【００１０】
循環用フィルターが装着され且つ目詰まり が無い状態に対して、循環用フィルターが装着され且つ目詰まりがある状態での時間は長くなる。これにより所定時間における回転数を検出しることで、フィルターの目詰まりがあることを検出し、フィルター掃除表示を行う機能を有している。
【特許文献１】特開２００２−１０２５９６号公報
【発明の開示】
【発明が解決しようとする課題】
【００１１】
このような従来の浴室暖房装置では、ファンの回転数を検知する回転数検知手段がモータ内部に有しているものは高価であることや、モータとは別体により回転数を検出する場合は専用のセンサーが必要となり複雑な構成になるという課題があり、簡単な構成で、かつ安価にフィルターの目詰まりを検出することが要求されている。
【００１２】
本発明は、このような従来の課題を解決するものであり、浴室内の温度を検知する温度センサーと前記加熱手段の近傍の温度を検知する温度センサーとを設け、前記制御装置は前記浴室内の温度を検知するセンサーと加熱手段の近傍の温度を検知するセンサーとの温度差の推移を監視し、前記温度差が規定値を超えたときにフィルターが目詰まりであることを検知するという簡単な構成で、かつ安価にすることができるバス換気乾燥装置を提供することを目的としている。
【００１３】
また、フィルターが目詰まりであることを検知すれば、装置内部の発熱による故障を防止するため、運転を停止、さらには素早く使用者に対して知らしめることが要求されている。
【００１４】
本発明は、フィルターが目詰まりであることを検知すれば、バス換気乾燥装置の運転を停止したり、発光体や警報音により使用者に対して知らしめることのできるバス換気乾燥装置を提供することを目的としている。
【課題を解決するための手段】
【００１５】
本発明のバス換気乾燥装置は上記目的を達成するために、浴室内の空気を換気する換気ファンと、浴室内の空気を循環する循環ファンと、前記循環ファンにより生成される循環空気の塵埃を除去するフィルターと、循環空気を加熱する加熱手段および前記換気ファンと前記循環ファンと前記加熱手段を組み合わせて作動させて浴室内を暖房もしくは乾燥する制御装置とを備えたバス換気乾燥装置において、浴室内の温度を検知する温度センサーと前記加熱手段の近傍の温度を検知する温度センサーとを設ける構成としたものである。
【００１６】
これにより、フィルターが目詰まりすると、フィルター内部に塵埃が蓄積し、フィルターを通過する循環空気が減少することで加熱手段により暖められる空気が滞留することにより、加熱手段の近傍の温度を検知するセンサーの検出温度が高くなることで、制御装置は浴室内の温度を検知するセンサーと加熱手段の近傍の温度を検知するセンサーとの温度差の推移を監視し、温度差が規定値を超えたときにフィルターが目詰まりであることを検知するバス換気乾燥装置が得られる。
【００１７】
また、浴室内の温度を検知する温度センサーと前記加熱手段の近傍の温度を検知する温度センサーとを設ける構成としたものである。
【００１８】
これにより、制御装置は浴室内の温度を検知するセンサーと加熱手段の近傍の温度を検知するセンサーとの温度差の推移を監視し、温度差が規定値を超えたときにフィルターが目詰まりであることを検知し、バス換気乾燥装置の運転を停止するバス換気乾燥装置が得られる。
【００１９】
また、制御装置は運転モードを設定する設定部を備える構成としたものである。
【００２０】
これにより、運転モードの設定モードに対応して温度差の規定値を設定するバス換気乾燥装置が得られる。
【００２１】
また、加熱手段の近傍の温度を検知する温度センサーを設ける構成としたものである。
【００２２】
これにより、制御装置は温度センサーの検知温度の時間推移を温度勾配として演算し、演算結果が温度勾配の規定値を超えたときにフィルターが目詰まりであることを検知するバス換気乾燥装置が得られる。
【００２３】
また、制御装置は運転モードを設定する設定部を備える構成としたものである。
【００２４】
これにより、運転モード設定部の運転モードに対応して温度勾配の規定値を設定することのできるバス換気乾燥装置が得られる。
【００２５】
また、バス換気乾燥装置は浴室内の温度を検知する温度センサーを備える構成としたものである。
【００２６】
これにより、制御装置はこの温度センサーの検知温度に基づいて温度勾配の規定値を変化することのできるバス換気乾燥装置が得られる。
【００２７】
また、制御装置は加熱手段の加熱量の制御値に応じて温度勾配の規定値を変化させる構成としたものである。
【００２８】
これにより、制御装置は加熱手段の加熱量の制御値に応じて温度勾配の規定値を変化することのできるバス換気乾燥装置が得られる。
【００２９】
また、フィルターが目詰まりであることを検知すれば、発光体により故障表示部に表示する構成としたものである。
【００３０】
これにより、フィルターが目詰まりであることを検知すれば、発光体により故障表示部に表示することのできるバス換気乾燥装置が得られる。
【００３１】
また、フィルターが目詰まりであることを検知すれば、警報音により警報部に報知する構成としたものである。
【００３２】
これにより、フィルターが目詰まりであることを検知すれば、警報音により警報部に報知することのできるバス換気乾燥装置が得られる。
【００３３】
また、故障表示部あるいは警報部により、表示もしくは報知するかしないかを選択する選択手段を設ける構成としたものである。
【００３４】
これにより、フィルターが目詰まりであることを検知しても、表示もしくは報知するかしないかを選択できるバス換気乾燥装置が得られる。
【００３５】
また、加熱手段の近傍の温度を検知する温度センサーを設け、請求項１記載のバス換気乾燥装置としたものである。
【００３６】
これにより、制御装置は温度センサーの検知温度の時間推移を監視し、検知温度が規定値以上に上昇したときにはフィルターが目詰まりではないことを検知することのできるバス換気乾燥装置が得られる。
【００３７】
また、制御装置は故障表示部もしくは警報部を備える構成としたものである。
【００３８】
これにより、制御装置がフィルターが目詰まりではないことを検知したときに、故障表示部に故障内容を表示もしくは警報部により報知を行うことのできるバス換気乾燥装置が得られる。
【発明の効果】
【００３９】
本発明によれば浴室内の温度を検知する温度センサーと前記加熱手段の近傍の温度を検知する温度センサーとを設け、前記制御装置は前記浴室内の温度を検知するセンサーと加熱手段の近傍の温度を検知するセンサーとの温度差の推移を監視し、前記温度差が規定値を超えたときにフィルターが目詰まりであることを検知するという簡単な構成で、かつ安価にすることができるバス乾燥装置を提供できる。
【００４０】
また、浴室内の温度を検知する温度センサーと前記加熱手段の近傍の温度を検知する温度センサーとを設け、前記制御装置は前記浴室内の温度を検知するセンサーと加熱手段の近傍の温度を検知するセンサーとの温度差の推移を監視し、前記温度差が規定値を超えたときにフィルターが目詰まりであることを検知し、バス換気乾燥装置の運転を停止することのできるバス乾燥装置を提供できる。
【００４１】
また、運転モードの設定モードに対応して温度差の規定値を設定することのできるバス乾燥装置を提供できる。
【００４２】
また、加熱手段の近傍の温度を検知する温度センサーを設け、前記制御装置は前記温度センサーの検知温度の時間推移を温度勾配として演算し、前記演算結果が温度勾配の規定値を超えたときにフィルターが目詰まりであることを検知することのできるバス乾燥装置を提供できる。
【００４３】
また、運転モード設定部の設定モードに対応して温度勾配の規定値を設定することのできるバス乾燥装置を提供できる。
【００４４】
また、浴室内の温度を検知する温度センサーを備え、制御装置はこの温度センサーの検知温度に基づいて温度勾配の規定値を変化することのできるバス乾燥装置を提供できる。
【００４５】
また、制御装置は加熱手段の加熱量の制御値に応じて温度勾配の規定値を変化することのできるバス乾燥装置を提供できる。
【００４６】
また、フィルターが目詰まりであることを検知すれば、発光体により故障表示部に表示することのできるバス乾燥装置を提供できる。
【００４７】
また、フィルターが目詰まりであることを検知すれば、警報音により警報部に報知することのできるバス乾燥装置を提供できる。
【００４８】
また、フィルター目詰まり表示部あるいは警報部により、表示もしくは報知するかしないかを選択する選択手段を設け、フィルターが目詰まりであることを検知しても、表示もしくは報知するかしないかを選択するバス乾燥装置を提供できる。
【００４９】
また、加熱手段の近傍の温度を検知する温度センサーを設け、前記制御装置は前記温度センサーの検知温度の時間推移を監視し、前記検知温度が規定値以上に上昇したときにはフィルターが目詰まりではないことを検知することのできるバス乾燥装置を提供できる。
【００５０】
また、制御装置は故障表示部もしくは警報部を備え、制御装置がフィルターが目詰まりではないことを検知したときに、前記故障表示部に故障内容を表示もしくは前記警報部により報知を行うことのできるバス乾燥装置を提供できる。
【発明を実施するための最良の形態】
【００５１】
本発明の請求項１記載の発明は、浴室内の空気を換気する換気ファンと、浴室内の空気を循環する循環ファンと、前記循環ファンにより生成される循環空気の塵埃を除去するフィルターと、循環空気を加熱する加熱手段および前記換気ファンと前記循環ファンと前記加熱手段を組み合わせて作動させて浴室内を暖房もしくは乾燥する制御装置とを備えたバス換気乾燥装置において、浴室内の温度を検知する温度センサーと前記加熱手段の近傍の温度を検知する温度センサーとを設けるものであり、フィルターが目詰まりすると、フィルター内部に塵埃が蓄積し、フィルターを通過する循環空気が減少することで加熱手段により暖められる空気が滞留することにより、加熱手段の近傍の温度を検知するセンサーの検出温度が高くなることで、前記制御装置は前記浴室内の温度を検知するセンサーと加熱手段の近傍の温度を検知するセンサーとの温度差の推移を監視し、前記温度差が規定値を超えたときにフィルターが目詰まりであることを検知するという作用を有する。
【００５２】
また、フィルターが目詰まりであることを検知すれば、バス換気乾燥装置の運転を停止するという作用を有する。
【００５３】
また、制御装置は運転モードを設定する設定部を備えるものであり、前記設定部の運転モードに対応して温度差の規定値を設定するという作用を有する。
【００５４】
また、加熱手段の近傍の温度を検知する温度センサーを設けたものであり、制御装置は前記温度センサーの検知温度の時間推移を温度勾配として演算し、前記演算結果が温度勾配の規定値を超えたときにフィルターが目詰まりであることを検知するという作用を有する。
【００５５】
また、制御装置は運転モードを設定する設定部を備えたものであり、設定部の運転モードに対応して温度勾配の規定値を設定するという作用を有する。
【００５６】
また、制御装置は浴室内の温度を検出する温度センサーの検知温度に基づいて温度勾配の規定値を変化するという作用を有する。
【００５７】
また、制御装置は加熱手段の加熱量の制御値に応じて温度勾配の規定値を変化させるものであり、制御装置は加熱手段の加熱量の制御値に応じて温度勾配の規定値を変化するという作用を有する。
【００５８】
また、フィルターが目詰まりであることを検知すれば、発光体により故障表示部に表示するという作用を有する。
【００５９】
また、フィルターが目詰まりであることを検知すれば、警報音により警報するという作用を有する。
【００６０】
また、フィルター目詰まり表示部あるいは警報部により、表示もしくは警報するかしないかを選択する選択手段を設けるものであり、フィルターが目詰まりであることを検知しても、表示もしくは警報するかしないかを選択できるという作用を有する。
【００６１】
また、加熱手段の近傍の温度を検知する温度センサーを設け、制御装置は温度センサーの検知温度の時間推移を監視し、検知温度が規定値以上に上昇したときにはフィルターが目詰まりではないことを検知するという作用を有する。
【００６２】
また、制御装置は故障表示部もしくは警報部を備えるものであり、制御装置がフィルターが目詰まりではないことを検知したときに、故障表示部に故障内容を表示もしくは警報部により警報するという作用を有する。
【００６３】
以下、本発明の実施の形態について図面を参照しながら説明する。
【００６４】
（実施の形態１）
まず、本発明の実施の形態１を図１と図２を用いて説明する。図１はバス換気乾燥装置の全体構成を示す断面図である。図１において、天井１に取り付けられるケーシング２に隔壁３を設け、この隔壁３の下部に循環用モータ４で駆動される循環ファン５と加熱手段としてのヒータＡ６、ヒータＢ７、反射板８を備えている。グリル９は吸気口９ａと吐出口９ｂを有しケーシング２に固定される。フィルター１０は、グリル９の吸気口９ａに脱着可能な状態で固定される。循環風路１１は暖房運転もしくは乾燥運転時に循環ファン５が駆動されたとき、室内の空気が下方の吸気口９ａからフィルター１０、循環ファン５、ヒータＡ６、ヒータＢ７を経て吐出口９ｂから吹き出される室内空気の循環風路を示す。
【００６５】
一方、隔壁３の上部には換気用モータ１２で駆動される換気ファン１３と排気口１４を備えている。排気風路１５は暖房運転もしくは乾燥運転もしくは換気運転時に換気ファン１３が駆動されたときの室内空気が吸気口９ａから吸入しダクト（図せず）を通じて屋外に排出される風路を示す。
【００６６】
以上のバス換気乾燥装置において、制御装置１６の主体部が図示のような隔離された場所に、室内温度を検知する室内温度センサー１７が循環ファン５の上流にそれぞれ設けられ、ヒータ温度センサー１８がヒータの近傍に、即ちここで示す近傍とは、循環ファン５が駆動される状況ではヒータ温度センサー１８は前記ヒータで加熱されて吐出される空気の温度を検知できれば良く、ヒータ温度センサー１８が吐出口９ｂとヒータＡ６、ヒータＢ７の間に設けられている。
【００６７】
図２は本発明の実施の形態１におけるバス換気乾燥装置の電気系の構成を示すブロック図である。
【００６８】
制御装置１６はＣＰＵ（マイコンを用いた中央処理装置）１９に入力として前述の室内温度センサー１７とヒータ温度センサー１８と暖房、乾燥などの運転モードを使用者が手動で設定するための運転モード設定部２０が接続され、出力としてヒータＡ６、ヒータＢ７、循環ファン５、換気ファン１３のそれぞれ駆動するための継電器２１、２２、２３、２４が接続され、さらに液晶表示器などのフィルター目詰まり表示部２５とスピーカなどの警報部２６とが接続された構成である。運転モード設定部２０とフィルター目詰まり表示部２５および警報部２６はリモコン装置２７（図の点線囲い部分）としてバス換気乾燥装置とは別体に浴室の壁面などに取り付けて使用される。
【００６９】
また図示しないが、継電器２１、２２、２３、２４の負荷接点は漏電遮断器を介して商用電源に接続されている。
【００７０】
次に図３と図４を用いて運転モードの説明と急速暖房運転モードを例とした運転中の温度の推移傾向について説明する。
【００７１】
図３は運転モードの例を示す図である。
【００７２】
急速暖房運転モード２０ａは冬期の浴室を急速に暖房するための運転モードであり、暖房運転モード２０ｂは急速な暖房を必要としない運転モードであり、乾燥運転モード２０ｃは衣類などの乾燥を行うための運転モードである。
【００７３】
それぞれの運転モードで丸印を記した前述の構成要素が駆動されることを表している。
【００７４】
たとえば急速暖房運転モード２０ａではヒータＡ６とヒータＢ７と循環ファン５が駆動されることを表している。
【００７５】
図４は図３の急速暖房運転モード２０ａで運転している場合の温度の時間推移を示す図である。
【００７６】
図４（ａ）はヒータ温度センサー１８が検知する温度の時間推移１８ａと室内温度センサー１７が検知する温度の時間推移１７ａを示している。
【００７７】
また、フィルター１０が目詰まりしている状態のヒータ温度センサー１８が検知する温度の時間推移１８ｂを示している。
【００７８】
図４（ｂ）はヒータＡ６とヒータＢ７の通電の状況を示す図である。
【００７９】
フィルター１０が目詰まりしてくると、フィルター１０内部に塵埃が蓄積し、フィルター１０を通過する循環空気が減少することでヒータＡ６、ヒータＢ７により暖められる空気が滞留することとなり、ヒータ温度センサー１８の温度が上昇する。
【００８０】
時刻ｔ１において、室内温度センサー１７の温度で制御装置１６はヒータＡ６をＯＦＦし、同様に時刻ｔ２でヒータＡ６をＯＮする。時刻ｔ３以降も同様にヒータＡ６はＯＮ、ＯＦＦを繰り返して室内温度が一定になるように制御装置１６がヒータＡ６を制御する。
【００８１】
次に図５を用いてフィルター１０の目詰まり検知の原理の説明と目詰まりした場合の制御装置１６の動作について説明する。
【００８２】
図５はフィルター１０の目詰まり検知の原理を説明するための図である。
【００８３】
図５（ａ）は図４（ａ）のフィルター１０が目詰まりしていない時のヒータ温度センサー１８が検知する温度の時間推移１８ａとフィルター１０が目詰まり時のヒータ温度センサー１８が検知する温度の時間推移１８ｂと室内温度センサー１７が検知する温度１７ａの差を表したもので、曲線１８ｃ、１８ｄで示している。
【００８４】
曲線１８ｄは図３の暖房運転モード２０ｂで運転したときの同様の温度差を示すもので、ヒータＡ６のみで運転するため曲線１８ｃに比べ温度差が低いことを示している。
【００８５】
図５（ｂ）はフィルター１０が目詰まりした場合のヒータ温度センサー１８と室内温度センサー１７が検知する温度の時間推移を示し、図５（ｃ）はこのときの両センサーの温度差の時間推移を表す図である。
【００８６】
まず図５（ｂ）において、フィルター１０が目詰まりした時の任意の時刻ｔ４において、室内温度センサー１７が検知する温度（以下単に室内温度センサーの温度と記載、ヒータ温度センサー１８についても同様）１７ｂは示すようにほぼ平坦な推移であり、またヒータ温度センサー１８の温度は、ヒータＡ６およびヒータＢ７の輻射熱と、熱伝達を受けて１８ｆで示すようにフィルター１０が目詰まりしていない時１８ｅに比べてより高い温度で推移する。
【００８７】
それぞれの温度差の推移は、図５（ｃ）の１８ｅ、１８ｆである。
【００８８】
図５（ｃ）において、Ｓ１は閾値（規定値）を示す線で前述の両者の温度差１８ｆがこの閾値Ｓ１を超える点（時刻）Ｐ１においてフィルター１０が目詰まりであることを検知できる。
【００８９】
この検知方式では運転中の任意の時刻でフィルター１０の目詰まりを検知できる。
【００９０】
ここで、閾値Ｓ１は当然のことながらフィルター１０が目詰まりしていない時における前述の温度差推移１８ａ（図５（ａ）の再掲）より上位に設定される。
【００９１】
図の１８ｃは図５（ａ）の１８ｃを再掲したものであり、フィルター１０が目詰まりしていない時の温度差の推移を示すもので、この運転モードでは閾値Ｓ２を用いてフィルター１０の目詰まり検知を行う。
【００９２】
前述と同様の時刻ｔ４でのフィルター１０の目詰まりした場合の状況が図の１８ｇである。
【００９３】
１８ｇが閾値Ｓ２を超過する点（時刻）Ｐ２においてフィルター１０の目詰まりを検知できる。
【００９４】
この閾値Ｓ１、Ｓ２は運転モード設定部２０が設定するバス換気乾燥装置の運転モードに対応して自動的に制御装置１６のＣＰＵ１９がその内部において設定する。
【００９５】
以上説明したフィルター１０の目詰まり検知の動作について再度時系列的に述べると、まず、循環ファン５の駆動される運転モードにおいては温度差の閾値（規定値）が、運転モード設定部２０の設定により自動的に設定される。運転開始以後常時、ヒータ温度センサー１８と室内温度センサー１７の温度差が演算され前記閾値と対照される。以上の過程においてフィルター１０の目詰まりが徐々に進行してくると温度差の値が上昇し、閾値を超えた時点でフィルター１０が目詰まりであると判断される。
【００９６】
次に前述のフィルター１０の目詰まり検知が発生した場合の制御装置１６の動作について説明する。
【００９７】
制御装置１６はフィルター１０が目詰まりであること検知すると、ＣＰＵ１９から継電器２１、２２、２３、２４へ出力信号を与えることにより、すべての継電器２１、２２、２３、２４をＯＦＦにしてバス浴室換気乾燥装置の運転を停止し、警報部２６で警報を吹鳴して使用者に知らせフィルター目詰まり表示部２５でフィルター１０の目詰まりであることを告知する。
【００９８】
以上のようにフィルター１０の目詰まり検知の動作とフィルター１０の目詰まりを検知した場合の制御装置１６の動作はＣＰＵ１９の内部のマイコンとＲＯＭおよびＲＡＭが共働するプログラムの形態で実施される。このことは次に述べるフィルター１０の目詰まり検知の説明についても同様である。
【００９９】
（実施の形態２）
本発明の実施の形態２を図６を用いて説明する。実施の形態１と同一部分は同一符号とし詳細な説明を省略する。また、実施の形態１と同様に急速暖房運転モードを例として実施の形態２の各種のフィルター１０の目詰まり検知について説明する。
【０１００】
まず、図６を用いてフィルター１０の目詰まり検知の原理の説明とフィルター１０が目詰まりであることを検知した場合の制御装置１６の動作について説明する。
【０１０１】
図６はフィルター１０の目詰まり検知の動作原理を説明するための図である。
【０１０２】
図６（ａ）はヒータ温度センサー１８が検知するヒータＡ６、ヒータＢ７近傍の温度の時間推移を示す図で、図の点線示の１８ａは図４（ａ）中の曲線１８ａの再掲図である。
【０１０３】
図で４ｈは任意の時刻ｔ６においてフィルター１０の目詰まりが急激に発生した場合のヒータ温度センサー１８が検知するヒータ近傍の温度推移を示し、４ｉは任意の時刻ｔ７において同じくフィルター１０の目詰まりが急激に発生した場合のヒータ近傍の温度推移を示している。
【０１０４】
この２つの現象は実際には別個の機会に発生するが説明の便宜上、同一図上に記載している。
【０１０５】
時刻ｔ７は時刻ｔ１−ｔ２間にあり、前述のようにこの期間はヒータＡ６がＯＦＦしており、ヒータＢ７のみＯＮの状態なので、４ｉの上昇勾配は４ｈに比べて緩やかである。
【０１０６】
図６（ｂ）は前述と同様にＣＰＵ１９において図６（ａ）の温度推移を温度推移の時間変化すなわち温度勾配として処理した結果を示す図である。
【０１０７】
図で点線示の１８ｄが図６（ａ）の１８ａの温度勾配を示しており、この温度勾配は運転初期において高く時間経過とともに減少し時刻ｔ１（ヒータがＯＦＦ）おいて負に変化し時刻ｔ２（ヒータがＯＮ）において再び正に変化する。
【０１０８】
実線示の１８ｊは４ｈに対応しており、同じく実線示の１８ｋは４ｉに対応している。
【０１０９】
この図でＳ３とＳ４は温度勾配の閾値（規定値）で、Ｓ３はヒータＡ６がＯＮしている場合の閾値、Ｓ４はヒータＡ６がＯＦＦしている場合の閾値であり、ヒータのＯＮ、ＯＦＦを管理しているＣＰＵ１９がその内部においてＳ３とＳ４を自動的に切り替える。
【０１１０】
この場合、この実施の形態ではヒータのＯＮ、ＯＦＦで２段階であるがヒータの制御が無段階に行われる場合にはヒータ（加熱手段）の加熱量の制御値に応じて温度勾配の閾値（規定値）が設定される。
【０１１１】
フィルター１０の目詰まりが急激に発生した時の温度勾配１８ｊと閾値曲線Ｓ３との交点Ｐ３および温度勾配１８ｋと閾値曲線Ｓ４との交点Ｐ４とがそれぞれフィルター１０の目詰まり検知点（時刻）である。
【０１１２】
ここで閾値曲線Ｓ３、Ｓ４が曲線で右肩下がりになっているのは平常運転時の温度勾配１８ｄが右肩下がりであるので、閾値が一定値の固定であると検知の誤動作の恐れがある。そこで室内温度を監視しているＣＰＵ１９が室内温度により閾値を変化させて前記の誤動作を避けている。
【０１１３】
また、図示しないが閾値Ｓ３とＳ４は実施の形態１で説明したように運転モードにより自動的に設定される。
【０１１４】
以上説明したフィルター１０の目詰まりが急激に発生した時の検知の動作について再度時系列的に述べると、「まず、循環ファン５の駆動される運転モードにおいては温度勾配の閾値（規定値）が、運転モード設定部２０の設定により自動的に設定される。運転開始以後常時、ヒータ温度センサー１８の温度勾配が計測、演算され閾値と対照される。室内温度センサー１７の温度が上昇するとこれに応じて閾値は修正され、かつ、ヒータのＯＦＦ動作あるいはＯＮ動作でも閾値は変更される。
【０１１５】
以上の過程においてフィルター１０の目詰まりが急激に発生すると温度勾配の値が上昇し、閾値を超えた時点でフィルター１０の目詰まりと判断される。
【０１１６】
このような動作は実施の形態１での説明と同様に制御装置１６のＣＰＵ１９の内部のマイコンとＲＯＭおよびＲＡＭが共働するプログラムの形態で実施される。次に述べるフィルター１０が目詰まりであることを検知した後の動作についても同様である。
【０１１７】
フィルター１０の目詰まりが検知されると、制御装置１６はＣＰＵ１９から継電器２１、２２、２３、２４へ出力信号を与えることにより、すべての継電器２１、２２、２３、２４をＯＦＦにしてバス換気乾燥装置の運転を停止し、警報部２６、例えばブザーにより警報を吹鳴してフィルター１０の目詰まり表示部２５、例えばＬＥＤや液晶を用いてフィルター１０が目詰まり状態であることを使用者に対して告知する。
【０１１８】
（実施の形態３）
本発明の実施の形態３を図７を用いて説明する。実施の形態１と同一部分は同一符号とし説明を省略する。また、実施の形態１と同様に急速暖房運転モード２０ａを例として実施の形態３のフィルター１０が目詰まりでない時の検知について説明する。
【０１１９】
まず、図７を用いてフィルター１０が目詰まりではない時の検知の原理の説明とフィルター１０の目詰まりでないことを検知した場合の制御装置１６の動作について説明する。
【０１２０】
図７はフィルター１０が目詰まりではない時の検知の動作原理を説明するための図である。
【０１２１】
図７はヒータ温度センサー１８が検知するヒータＡ６、ヒータＢ７近傍の温度の時間推移を示す図で、図の点線示の１８ａは図４（ａ）中の曲線１８ａの再掲図である。
【０１２２】
図で１８ｌは任意の時刻ｔ４においてフィルター１０の目詰まりではなく、例えばヒータなどの異常発熱などが発生した場合のヒータ温度センサー１８が検知するヒータ近傍の温度推移を示す。
【０１２３】
この図でＳ６は閾値（規定値）であり、フィルター１０の目詰まりではなく、例えば加熱手段の異常発熱などが発生した場合の時間推移と閾値曲線Ｓ６との交点Ｐ５がヒータ（加熱手段）の異常発熱などが発生した場合の検知点（時刻）である。
【０１２４】
このような動作は実施の形態１での説明と同様に制御装置１６のＣＰＵ１９の内部のマイコンとＲＯＭおよびＲＡＭが共働するプログラムの形態で実施される。次に述べるフィルター１０が目詰まりではないことを検知した後の動作についても同様である。
【０１２５】
フィルター１０が目詰まりではないことを検知した場合、即ちヒータ（加熱手段）の異常発熱などが発生した場合が検知されると、制御装置１６はＣＰＵ１９から継電器２１、２２、２３、２４へ出力信号を与えることにより、すべての継電器２１、２２、２３、２４をすべてＯＦＦにしてバス換気乾燥装置の運転を停止し、警報部２６、例えばブザーにより警報して使用者に知らせ、図示はしないが故障表示部、例えばＬＥＤや液晶を用いてフィルター１０が目詰まり状態ではなく、ヒータなどが異常であることを告知する。
【産業上の利用可能性】
【０１２６】
本発明のバス換気乾燥装置は、運転中にフィルターの目詰まりを検知して装置を安全側に作動させるもので安全性が高く、かつ使用者に報知してフィルターの掃除や交換時期であることを知らしめるようにしたものであり、家庭用の用途にとどまらずホテルや旅館などの業務用の建物や公民館や集会所など公共の施設の用途にも適用できる。
【図面の簡単な説明】
【０１２７】
【図１】本発明の実施の形態１および２の全体構成を示す断面側面図
【図２】本発明の実施の形態１および２の電気系の構成を示すブロック図
【図３】同運転モードの例を示す図
【図４】同急速暖房モードでの温度推移を示す図（（ａ）はヒータ温度センサーが検知する温度の時間推移と室内温度センサーが検知する温度の時間推移を示す図、（ｂ）はヒータとヒータの通電の状況を示す図）
【図５】本発明の実施の形態１のフィルター目詰まり検知の動作原理を説明するための図（（ａ）はフィルターが目詰まりしていない時のヒータ温度センサーが検知する温度の時間推移とフィルターが目詰まり時のヒータ温度センサーが検知する温度の時間推移と室内温度センサーが検知する温度の差を表した図、（ｂ）はフィルターが目詰まりした場合のヒータ温度センサーと室内温度センサーが検知する温度の時間推移を示した図、（ｃ）はこのときの両センサーの温度差の時間推移を表す図）
【図６】本発明の実施の形態２のフィルター目詰まり検知の動作原理を説明する図（（ａ）はヒータ温度センサーが検知するヒータＡとヒータＢ近傍の温度の時間推移を示す図、（ｂ）は温度推移の時間変化すなわち温度勾配として処理した結果を示す図）
【図７】本発明の実施の形態３のフィルターが目詰まりでない時の検知の動作原理を説明する図（ヒータ温度センサーが検知するヒータＡ、ヒータＢ近傍の温度の時間推移を示す図）
【図８】従来の浴室換気乾燥装置の構成図
【符号の説明】
【０１２８】
１      天井
２      ケーシング
３      隔壁
４      循環用モータ
５      循環ファン
６      ヒータＡ
７      ヒータＢ
８      反射板
９      グリル
９ａ    吸気口
９ｂ    吐出口
１０    フィルター
１１    循環風路
１２    換気用モータ
１３    換気ファン
１４    排気口
１５    排気風路
１６    制御装置
１７    室内温度センサー
１８    ヒータ温度センサー
１９    ＣＰＵ
２０    運転モード設定部
２０ａ  急速暖房運転モード
２０ｂ  暖房運転モード
２０ｃ  乾燥運転モード
２１    継電器
２２    継電器
２３    継電器
２４    継電器
２５    フィルター目詰まり表示部
２６    警報部
２７    リモコン装置
【図１】
2007101118.tif 000003
【図２】
2007101118.tif 000004
【図３】
2007101118.tif 000005
【図４】
2007101118.tif 000006
【図５】
2007101118.tif 000007
【図６】
2007101118.tif 000008
【図７】
2007101118.tif 000009
【図８】
2007101118.tif 000010